(57)【要約】      （修正有）【課題】着用者の身体を効果的に冷却することができる上衣及び当該上衣を有する衣服を提供する。【解決手段】所定位置に取付孔３０を設けたベスト状の胴衣と、取付孔に着脱自在に取り付けられて、胴衣の内部に外気を送り込む送風ファン１００とを備えた上衣であって、胴衣のアームホール５０には、全周に亘って伸縮性のパイピング布５２が縫着される。パイピング布の縫着前におけるアームホールの周長が、パイピング布の非伸縮時の長さより所定長さだけ長く設定されることにより、作業時には、送風ファンによって送り込まれた外気を外部に送り出す空気送出口がアームホールに形成される。【選択図】図２
0003226799.tif 000002
【実用新案登録請求の範囲】
【請求項１】
所定位置に取付孔を設けたベスト状の胴衣と、
前記取付孔に着脱自在に取り付けられて、前記胴衣の内部に外気を送り込む送風手段と、を備えた上衣であって、
前記胴衣のアームホールは、全周に亘って伸縮性のパイピング布が縫着され、
前記パイピング布の縫着前における前記アームホールの周長は、前記パイピング布の非伸縮時の長さより所定長さだけ長く設定され、
よって、作業時において、前記送風手段によって送り込まれた外気を外部に送り出す空気送出口が前記アームホールに形成されることを特徴とする上衣。
【請求項２】
前記胴衣の襟ぐりがノーカラーであることを特徴とする請求項１に記載の上衣。
【請求項３】
後身頃の襟ぐりの中央部が略水平状に形成されることを特徴とする請求項２に記載の上衣。
【請求項４】
前記胴衣は、裾部がベルト状の弾性体を有することを特徴とする請求項１から３のいずれか一項に記載の上衣。
【請求項５】
前記胴衣は、左右の前身頃を身幅方向中央で係止する係止手段を有し、
前記胴衣は、前記係止手段の外側に設けられた前立てと、前記前立ての少なくとも一部と重なるファスナガードを有することを特徴とする請求項１から４のいずれか一項に記載の上衣。
【請求項６】
通気性のあるアウターと、
前記アウターの上に着用される請求項１〜５のいずれか一項に係る上衣と、
を備えることを特徴とする衣服。
【考案の詳細な説明】
【技術分野】
【０００１】
本考案は、送風手段を備えた上衣及び当該上衣を有する衣服に関する。
【背景技術】
【０００２】
快適な作業環境を提供するために送風手段を備えた上衣として、ファンを備えた冷却衣服が知られている（例えば、特許文献１）。特許文献１の冷却衣服は、ファンにより衣服内に空気を流すことで身体を冷却する。
【先行技術文献】
【特許文献】
【０００３】
【特許文献１】特開２００５−０５４２９９号公報
【考案の概要】
【考案が解決しようとする課題】
【０００４】
ところで、体温の上昇を抑制するためには、首筋を通る頸動脈の他、脇の下の腋窩動脈といった大きな動脈を冷やすことが効果的であることが知られている。この点、特許文献１に係る冷却衣服は、首まわりに空気出口部が設けられ、頸動脈の冷却を実現している。
【０００５】
特許文献１の冷却衣服は、袖部にも空気出口部を設けているが、袖部を通る空気が確実に脇の下に当たるような構成を備えてはおらず、腋窩動脈に対する冷却機能は十分とはいい難い。
【０００６】
上記課題に基づき、本考案は、着用者の身体を効果的に冷却することができる上衣及び当該上衣を有する衣服を提供することを目的とする。
【課題を解決するための手段】
【０００７】
上記課題を解決するために、本考案に係る上衣は、所定位置に取付孔を設けたベスト状の胴衣と、前記取付孔に着脱自在に取り付けられて、前記胴衣の内部に外気を送り込む送風手段とを備える構成とした。具体的には、胴衣のアームホールは、全周に亘って伸縮性のパイピング布が縫着され、パイピング布の縫着前における前記アームホールの周長は、パイピング布の非伸縮時の長さより所定長さだけ長く設定される。これにより、作業時には、送風手段によって送り込まれた外気を外部に送り出す空気送出口がアームホールに形成される。
【考案の効果】
【０００８】
本考案に係る上衣及びこれを有する衣服は、アームホールに空気送出口を備える構成としたので、着用者の身体を効果的に冷却することができる。
【図面の簡単な説明】
【０００９】
【図１】本考案の実施例１に係る上衣の正面図である。
【図２】図１の上衣の背面図である。
【図３】図１の上衣の内部構造を示す説明図である。
【図４】本考案の実施例１に係る上衣と共に使用可能な白衣の正面図である。
【図５】図１の上衣と図４の白衣の着用状態を示す斜視図である。
【図６】本考案の実施例２に係る上衣の内部構造を示す説明図である。
【考案を実施するための形態】
【００１０】
以下、図面を参照しながら本考案に係る上衣及び当該上衣を有する衣服について説明する。
【実施例１】
【００１１】
図１から図３は、本考案の実施例１に係る上衣１０を示す。図１に示すように、上衣１０は、袖を有しないベスト状の胴衣２０からなり、着用者の前面を覆う前身頃２２と、着用者の背面を覆う後身頃２３とを有する。
【００１２】
なお、本明細書において、前後左右を用いた文言は、上衣１０を着用した着用者から見た方向を指す。
【００１３】
図２に示すように、胴衣２０の後身頃２３には、腰部に送風ファン（送風手段）１００を取り付けるための一対の取付孔３０が形成されている。取付孔３０の内側には、取付孔３０の周縁を補強する補強板３１が設けられる。また、取付孔３０の外側には、取付孔３０を覆うカバー３２が設けられる。カバー３２はメッシュ布で形成され、送風ファン１００による外気の取り込みを妨害しない一方、送風ファン１００が破損した場合に破損した部品が落下するのを防ぐ役割を果たす。
【００１４】
図３に示すように、前身頃２２のうち、左前身頃２２Ｌの内側には、送風ファン１００を駆動するバッテリ（図示せず）を収容するポケット４０が設けられる。ポケット４０の上部内側には面ファスナ４１が設けられ、意図せずバッテリが落下するのを防止する。また、ポケット４０には、バッテリから送風ファン１００に電力を供給するケーブル(図６に示す)を通すケーブル孔４２が設けられ、ケーブルが引っ張られてバッテリがポケット４０の開口から落下するのを防止する。また、後身頃２３の内側には、上記ケーブルを胴衣２０に固定する留め具３３が設けられ、ケーブルの落下を防止する。
【００１５】
なお、ポケット４０の内側、特に前身頃２２に面する側に防水用シートなどを設け、作業環境や雨などの影響によってバッテリが濡れるのを防ぐようにしてもよい。
【００１６】
胴衣２０のアームホール５０は、全周に亘って伸縮性のパイピング布５２が縫着される。パイピング布５２は伸縮性の高いバイアステープにより形成されており、パイピング布５２全体として伸縮性を有する。ここで、アームホール５０の周長は、パイピング布５２の非伸縮時の長さよりも所定長さだけ長く設定される。したがって、アームホール５０にパイピング布５２を縫着する際には、シャーリングによってアームホール５０にひだ（シワ）が形成され、これにより、パイピング布５２及びアームホール５０の伸縮性が確保される。また、後述するように、アームホール５０の周長を、パイピング布５２の非伸縮時の長さよりも所定長さだけ長く設定したことにより、当該アームホール５０と着用者の脇の下との間に、空気送出口５４（図５に示す）が形成される。
【００１７】
なお、空気送出口５４を確実に形成するため、アームホール５０のうち脇の下に当たる部分を、意図的に人体形状とは異なる形状に切り抜く（別言すれば、アームホール５０の脇の下に当たる部分を、人体形状に沿った立体的形状としない）ようにしてもよい。
【００１８】
胴衣２０の襟ぐり（ネックライン）はカラー（立ち襟）を有しない。具体的には、胴衣２０の前側襟ぐり６０は、胸元がＵ字状又はＶ字状（図ではＵ字状の場合のみ示す）を呈する。これにより、胴衣２０の首部の開口が広く形成されるため、送風ファン１００から送り出された空気を効果的に首元の頸動脈に導くことができる。
【００１９】
また、胴衣２０の後側襟ぐり６２は、中央部が略直線状に形成され、上衣１０の着用時に略水平となる。即ち、胴衣２０の後側襟ぐり６２は、標準体型の着用者のネックラインのような立体的形状をとらず、あえて直線状に形成される。したがって、上衣１０の着用時において胴衣２０の後側襟ぐり６２と着用者の首部とは密着せず、開口（隙間）が形成される。これにより、送風ファン１００から送り出された空気を、当該隙間（空気送出口）を介して効果的に首元の頸動脈に導くことができる。
【００２０】
胴衣２０の裾部７０は、内部にベルト状の弾性体を有する。即ち、当該弾性体の弾性力により裾部７０が着用者の胴回りに密着するように形成される。これにより、送風ファン１００によって上衣１０の内部に送り込まれた空気が、裾部７０から上衣１０の外部に漏出するのを防ぐことができる。
【００２１】
左前身頃２２Ｌと右前身頃２２Ｒは、着用者の身幅方向中央に設けられた係止手段（例えば、スライドファスナ）８０によって係止される。図３に示すように、係止手段８０は、胴衣２０に設けられた前立て８２の裏側に設けられる。また、胴衣２０は、前立て８２の少なくとも一部と重なる位置にファスナガード８４を有し、係止手段８０は、前立て８２とファスナガード８４との間で左右の前身頃２２Ｌ，２２Ｒを係止する。かかる構成により、係止手段８０が露出するのを防ぐことができ、係止手段８０が破損することや、係止手段８０によって他の物品を破損させることを防ぐことができる。
【００２２】
図４は、実施例１に係る上衣１０の内側に着用することができる白衣１１０を示す。図４に示す白衣１１０は、高温となりやすい作業環境、例えば食品工場などで利用される。白衣１１０は、毛細血管構造のポリエステルを主たる素材とし、通気性、吸水性、速乾性に優れている。
【００２３】
白衣１１０の袖部１１２は、着用者の体毛などが衣服外に落下するのを防止するため、袖口にフライス（リブ）が設けられると共に、内部にメッシュ生地（図示せず）を有する二重構造となっている。また、裾部１１４も内部にゴムが設けられる共に、内側にメッシュ生地１１５が設けられている。白衣１１０の着用者は、当該メッシュ生地１１５をスラックスの（図示せず）の内側に入れることで体毛などが衣服外に落下するのを防止する。
【００２４】
上記の通り、白衣１１０は単体でも優れた通気性を持ち、着用者に快適な作業環境を提供することができる。しかしながら、食品工場の中には、特に高温多湿となる作業場もあり、さらに快適な作業環境が望まれることもある。
【００２５】
本考案に係る上衣１０は、かかる需要に対しても解決手段を提供することができる。即ち、図５に示すように、図４に示す衣服（白衣）１１０の上に本考案に係る上衣１０を重ねて着用させることで、作業者に対しより快適な作業環境を提供することができる。
【００２６】
図５において、矢印は、送風ファン１００から送り出された空気が上衣１０から外部に送り出される様子を示す。具体的には、送風ファン１００から送り出された空気は、白衣１１０と上衣１０の間を通って流れた後に、胴衣２０の襟ぐり６０，６２に形成される隙間及び胴衣２０の脇の下に形成される空気送出口５４から外部に送り出される。この結果、着用者の頸動脈及び腋窩動脈を効果的に冷却することができる。
【００２７】
なお、本考案に係る上衣１０は、胴衣２０の襟ぐりがノーカラーとして構成されるため、図５に示す白衣１１０のように、通常はアウターとして用いられる衣服と組合わせるとより効果的である。即ち、白衣１１０のようなアウターそのものがカラーを有しているため、これと重ねて着用される上衣１０にカラーを設ける必要性はない。これにより、首回りの意匠性と着心地を向上させることができる。
【００２８】
また、上衣１０は自重及び送風ファン１００の重さによって常に鉛直方向下向きに引っ張られる。加えて、アームホール５０は伸縮性のあるパイピング布５２によって仕上げ加工がされている。このため、アームホール５０の上側（即ち、着用者の肩部）やアームホール５０の前後に空気送出口５４が形成されることはなく、常にアームホール５０の下側、即ち着用者の脇の下に空気送出口５４が形成される。かかる構成により、着用者の腋窩動脈を効果的に冷却することができる。
【００２９】
なお、パイピング布５２の非伸縮時の長さは、標準体型（例えば、ＢＭＩ（Body Mass Index）が１８．５〜２５未満程度）の着用者の脇周りの長さと略同一、又はそれよりも１〜２ｃｍほど短い長さに設定される。したがって、上衣１０の着用時であっても、着用者の腕が真下に伸びているような場合（例えば、直立不動の姿勢をとっているような場合）は、アームホール５０に空気送出口５４は形成されない、又は僅かにしか形成されない。
【００３０】
一方、作業中にあっては、上衣１０の着用者の腕の動きに応じてアームホール５０に空気送出口５４が形成される。したがって、特に上衣１０の内部に熱がこもりやすい作業時に、空気送出口５４から送り出される空気によって着用者の腋窩動脈を効果的に冷却することが可能となる。
【００３１】
また、アームホール５０の周長が、パイピング布５２の非伸縮時の長さより所定長さだけ長く設定されるため、上衣１０の着脱が容易にできる。
【００３２】
なお、図５を示して説明した組み合わせは、本考案に係る上衣１０の使用例の一つを示すものに過ぎず、上衣１０と組み合わされる衣服が図４に示す白衣１１０に限られないことは言うまでもない。
【実施例２】
【００３３】
図６は、本考案の実施例２に係る上衣１０’の内部構造を示す。図６に示す通り、実施例２に係る上衣１０’は、内部にネット９０，９２を備えることを特徴とする。なお、実施例１に係る上衣１０と同一の要素、構成については、実施例１と同一の符号を付して詳細な説明を省略する。
【００３４】
図６に示すように、上衣１０’の後身頃２３の上部には、ヨーク状の第１ネット９０が設けられる。第１ネット９０の上縁及び左右の側縁は後身頃２３の内側に縫着される一方、第１ネット９０の下縁は後身頃２３に縫着されておらず、開口部９１が設けられている。また、上衣１０’の後身頃２３の下部には、第２ネット９２が設けられる。第２ネット９２の上縁は後身頃２３に縫着されておらず、開口部９３が設けられる一方、第２ネット９２の下縁及び左右の側縁は後身頃２３の内側に縫着される。即ち、第２ネット９２はポケットのような形状を呈する。
【００３５】
第１ネット９０の下部と第２ネット９２の上部とは、例えば５ｃｍほど重なる。なお、第１ネット９０と第２ネット９２との重なる順序は特に限定されない。したがって、第２ネット９２に対して第１ネット９０が着用者側に設けられてもよいし、第１ネット９０に対して第２ネット９２が着用者側に設けられてもよい。
【００３６】
第１ネット９０及び第２ネット９２は、上衣１０’に取り付けられる送風ファン１００の部品の一部が外れた場合や、送風ファン１００が破損した場合に、送風ファン１００本体から外れた部品や破損した欠片が、上衣１０’の外に落下するのを防止することを目的とする。
【００３７】
周知の通り、食品工場や精密機器の製造工場などでは、異物混入を防止する必要性が特に高い。このような作業環境の場合、送風ファン１００のような、衣服と独立しており且つ可動部を有する物品を持ち込むことは、異物混入を防止する観点から好ましくない。一方で、こうした工場にも高温多湿の作業現場が少なからず存在しており、作業環境の改善が求められる。
【００３８】
そこで、実施例２に係る上衣１０’にあっては、上衣１０’から落下する可能性の高い送風ファン１００の周りに第１、第２ネット９０，９２を設けることとした。これにより、送風ファン１００が取付孔３０から脱落した場合や送風ファン１００の一部が破損した場合であっても、これらが上衣１０’の外に落下するのを防止することができる。なお、本考案に係る上衣１０’の外側にはカバー３２が設けられているため、送風ファン１００そのものやその一部が上衣１０’の外側から落下する虞もない。
【００３９】
また、上記の通り、第２ネット９２には開口部９３が設けられているため、第２ネットによって送風ファン１００の着脱が困難になることもない。
【００４０】
以上、本考案に係る上衣１０，１０’を実施例１及び実施例２に基づき説明したが、具体的な構成は上記実施例に限られるものではなく、この考案の要旨を逸脱しない限り、設計の変更や追加などは許容される。
【００４１】
例えば、前身頃２２の係止手段８０はスライドファスナ（線ファスナ）に限られず、クイックオープン式ファスナや面ファスナであってもよく、スナップボタンなどであってもよい。
【００４２】
また、バッテリを収容するポケット４０を左前身頃２２Ｌの内側に設けるとしたが、ポケット４０は右前身頃２２Ｒに設けても良く、後身頃２３に設けても良い。
【符号の説明】
【００４３】
１０，１０’      上衣
２０              胴衣
２２Ｌ，２２Ｒ    前身頃
３０              取付孔
５０              アームホール
５２              パイピング布
５４              空気送出口
６０，６２        襟ぐり
７０              裾部
８０              係止手段
８２              前立て
８４              ファスナガード
１００            送風ファン（送風手段）
１１０            白衣
【図１】
0003226799.tif 000003
【図２】
0003226799.tif 000004
【図３】
0003226799.tif 000005
【図４】
0003226799.tif 000006
【図５】
0003226799.tif 000007
【図６】
0003226799.tif 000008